(57)【要約】【課題】全反射されないで外部に漏れてしまう照明光の漏れ量を少なくし、照明光の伝送効率を向上させた照明光学系を提供する。【解決手段】照明光学系は、内側に観察光学系が配置されるように長手軸の先端側から見た断面形状が略Ｕ字形状又は略Ｕ字形状の一部の形状に形成され、長手軸に沿って基端側から先端側に向かう光が入射する入射面である平面５１ｃと、被検体へ向けて光を照明光として出射する出射面である平面５１ａ，５１ｂと、長手軸の先端側から見たときに入射面に入射した光を出射面側に向けるように傾いた反射面ＣＳ１，ＣＳ２とを有する。【選択図】図１０
2019069043.tif 000002
【特許請求の範囲】
【請求項１】
被検体に挿入される挿入部を有し、前記挿入部の先端部の側方若しくは斜め方向へ照明光を出射する照明窓と、
前記挿入部の長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材と、
を有する照明光学系。
【請求項２】
前記反射面は、前記光学部材の前記先端側に形成された捻れ面である、請求項１に記載の照明光学系。
【請求項３】
前記捻れ面は、前記略Ｕ字形状の外周面の円弧の中心軸に対して前記光学部材の外周面上を所定の角度で、前記中心軸に直交する方向に伸びる線分によってカットされた面である、請求項２に記載の照明光学系。
【請求項４】
前記反射面は、前記中心軸に沿った距離ｚが、ｚ＝ｒ×θ（ここで、ｒは、前記円弧の半径で、θは、前記中心軸回りの所定位置からの角度（ラジアン）である）で表される曲面形状を有する、請求項３に記載の照明光学系。
【請求項５】
前記略Ｕ字形状は、２つの同心円の円弧により形成される、請求項１に記載の照明光学系。
【請求項６】
前記略Ｕ字形状は、円弧の中心位置が異なる２つの円の２つの円弧により形成される、請求項１に記載の照明光学系。
【請求項７】
前記反射面の形状は、前記長手軸方向からみたときに矩形である、請求項１に記載の照明光学系。
【請求項８】
前記反射面は、前記先端部の中心軸を通る平面に対して面対称に２つ設けられている、請求項１に記載の照明光学系。
【請求項９】
前記照明窓は、２つ設けられている、請求項８に記載の照明光学系。
【請求項１０】
前記反射面は、前記略Ｕ字形状の前記光学部材の前記先端側に形成された平面である、請求項１に記載の照明光学系。
【請求項１１】
前記反射面は、前記先端部の中心軸を通る平面に対して面対称に２つ設けられている、請求項１に記載の照明光学系。
【請求項１２】
前記照明窓は、２つ設けられている、請求項１１に記載の照明光学系。
【請求項１３】
被検体に挿入される挿入部の先端部に設けられ、前記先端部の前記側方若しくは前記斜め方向を照明し、観察する内視鏡光学系であって、
前記挿入部の先端部に設けられ、前記先端部の側方若しくは斜め方向から光を取り込む観察窓から取り込まれた光を観察するための観察光学系と、
前記先端部に配置され、内側に前記観察光学系が配置されるように前記長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材を含む照明光学系と、
を有する内視鏡光学系。
【請求項１４】
前記観察光学系が前記観察窓から取り込まれた光を前記挿入部の長手軸に沿って先端側から基端側へ向けて出射する請求項１３に記載の内視鏡光学系。
【請求項１５】
被検体に挿入される挿入部と、
前記挿入部の先端部に設けられ、前記先端部の側方若しくは斜め方向から光を取り込む観察窓と、
前記挿入部の前記先端部に設けられ、前記先端部の前記側方若しくは前記斜め方向へ照明光を出射する照明窓と、
前記挿入部の前記先端部に設けられた光学系であって、前記観察窓から取り込まれた光を観察するための観察光学系と、
前記先端部に配置され、内側に前記観察光学系が配置されるように前記長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材を含む照明光学系と、
を有する内視鏡。
【請求項１６】
前記観察光学系が前記観察窓から取り込まれた光を前記挿入部の長手軸に沿って先端側から基端側へ向けて出射する請求項１５に記載の内視鏡。
【発明の詳細な説明】
【技術分野】
【０００１】
本発明は、照明光学系、内視鏡光学系及び内視鏡に関し、特に、側方あるいは斜め方向を観察する内視鏡に用いられる、照明光学系、内視鏡光学系及び内視鏡に関する。
【背景技術】
【０００２】
従来より、内視鏡は、工業分野及び医療分野において広く用いられている。側方あるいは斜め方向を観察する内視鏡がある。
【０００３】
側方あるいは斜め方向を観察する内視鏡において、挿入部の先端部の側方あるいは斜め方向に照明光を出射するために照明用ライトガイドの先端部分を曲げ成形すると、硬質部長が長くなってしまうという問題がある。また、側方あるいは斜め方向を観察する内視鏡では、観察窓と照明窓が挿入部の長手軸方向に沿って離れて配置されるため、内視鏡画像に配光ムラが生じるという問題がある。
【０００４】
そこで、特開２０１２−２３５８２１号公報には、ライトガイドを曲げずにライトガイドの先端面から出射される照明光を側方へ反射する平坦な反射面と、観察光学系の外周に配置されて、反射面からの照明光を先端部の側方へ導光する光伝送光学部とを有する内視鏡用側方照明光学系が提案されている。その提案の光伝送光学系は、挿入部の先端部の長手軸に直交する断面が略Ｕ字形状で、外側面が先端部の長手軸方向に沿った軸を中心とするシリンドリカル形状を有している。その光伝送光学系によれば、観察窓と照明窓が挿入部の長手軸方向に沿って離れて配置されないため、内視鏡画像に配光ムラが生じない。
【先行技術文献】
【特許文献】
【０００５】
【特許文献１】特開２０１２−２３５８２１号公報
【発明の概要】
【発明が解決しようとする課題】
【０００６】
しかし、上記提案に係る光学系の場合、反射面からの照明光の一部が、光伝送光学系の内面で反射するとき、全反射せず、シリンドリカル形状の光伝送光学系の外側面から漏れてしまう。特に、上記提案の構成においては、ライトガイドの先端部が、シリンドリカル形状の光伝送光学系の外周面から離れていると、全反射されないで外部に漏れてしまう光量が増え、照明光の伝送効率が悪い。
【０００７】
そこで、本発明は、全反射されないで外部に漏れてしまう照明光の漏れ量を少なくし、照明光の伝送効率を向上させた照明光学系、内視鏡光学系及び内視鏡を提供することを目的とする。
【課題を解決するための手段】
【０００８】
本発明の一態様の照明光学系は、被検体に挿入される挿入部を有し、前記挿入部の先端部の側方若しくは斜め方向へ照明光を出射する照明窓と、前記挿入部の長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材と、を有する。
【０００９】
本発明の一態様の内視鏡光学系は、被検体に挿入される挿入部の先端部に設けられ、前記先端部の前記側方若しくは前記斜め方向を照明し、観察する内視鏡光学系であって、前記挿入部の先端部に設けられ、前記先端部の側方若しくは斜め方向から光を取り込む観察窓から取り込まれた光を観察するための観察光学系と、前記先端部に配置され、内側に前記観察光学系が配置されるように前記長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材を含む照明光学系と、を有する。
【００１０】
本発明の一態様の内視鏡は、被検体に挿入される挿入部と、前記挿入部の先端部に設けられ、前記先端部の側方若しくは斜め方向から光を取り込む観察窓と、前記挿入部の前記先端部に設けられ、前記先端部の前記側方若しくは前記斜め方向へ照明光を出射する照明窓と、前記挿入部の前記先端部に設けられた光学系であって、前記観察窓から取り込まれた光を観察するための観察光学系と、前記先端部に配置され、内側に前記観察光学系が配置されるように前記長手軸の前記先端側から見た断面形状が略Ｕ字形状又は略Ｕ字形状の一部の形状に形成され、前記長手軸に沿って前記基端側から前記先端側に向かう光が入射する入射面と、前記被検体へ向けて前記光を前記照明光として出射する出射面と、前記長手軸の前記先端側から見たときに前記入射面に入射した前記光を前記出射面側に向けるように傾いた反射面とを有する光学部材を含む照明光学系と、を有する。
【発明の効果】
【００１１】
本発明によれば、全反射されないで外部に漏れてしまう照明光の漏れ量を少なくし、照明光の伝送効率を向上させた照明光学系、内視鏡光学系及び内視鏡を提供することができる。
【図面の簡単な説明】
【００１２】
【図１】本発明の第１の実施の形態に係わる内視鏡装置の構成を示す構成図である。
【図２】本発明の第１の実施の形態に係わる光学アダプタ１０の斜視図である。
【図３】本発明の第１の実施の形態に係わる、被検体の方から見た光学アダプタ１０の平面図である。
【図４】図３のＩＶ−ＩＶ線に沿った光学アダプタ１０の断面図である。
【図５】図４のＶ−Ｖ線に沿った光学アダプタ１０の断面図である。
【図６】図３のＶＩ−ＶＩ線に沿った光学アダプタ１０の断面図である。
【図７】本発明の第１の実施の形態に係わる光学アダプタ１０内の撮像光学系及び照明光学系の斜視図である。
【図８】本発明の第１の実施の形態に係わる光学アダプタ１０内の撮像光学系及び照明光学系の正面図である。
【図９】本発明の第１の実施の形態に係わる光学アダプタ１０内の撮像光学系及び照明光学系内の右側面図である。
【図１０】本発明の第１の実施の形態に係わる光伝送光学部材５１の斜視図である。
【図１１】本発明の第１の実施の形態に係わる光伝送光学部材５１の正面図である。
【図１２】本発明の第１の実施の形態に係わる光伝送光学部材５１の平面図である。
【図１３】本発明の第１の実施の形態に係わる光伝送光学部材５１の底面図である。
【図１４】本発明の第１の実施の形態に係わる光伝送光学部材５１の右側面図である。
【図１５】本発明の第１の実施の形態に係わる光伝送光学部材５１の左側面図である。
【図１６】本発明の第１の実施の形態に係わる、部分円筒部５１Ｘ上に形成される反射面ＣＳ２の形状を説明するための図である。
【図１７】本発明の第１の実施の形態に係わる、部分円筒部５１Ｘ上に形成される反射面ＣＳ２の形状を説明するための図である。
【図１８】本発明の第１の実施の形態に係わる、反射面ＣＳ２の形成方法を説明するための模式図である。
【図１９】本発明の第１の実施の形態に係わる、反射面ＣＳ２の形成方法を説明するための模式図である。
【図２０】本発明の第１の実施の形態に係わる円筒部材ＳＯの側面図である。
【図２１】本発明の第１の実施の形態に係わる部分円筒部５１Ｘ１の斜視図である。
【図２２】本発明の第１の実施の形態に係わる部分円筒部５１Ｘ１の左側面図である。
【図２３】本発明の第１の実施の形態に係わる部分円筒部５１Ｘ１の正面図である。
【図２４】本発明の第１の実施の形態に係わる部分円筒部５１Ｘ１の平面図である。
【図２５】本発明の第２の実施の形態に係わる、斜め先端側からみた光伝送光学部材５１Ａの斜視図である。
【図２６】本発明の第２の実施の形態に係わる略Ｕ字形状の光伝送光学部材５１Ａの正面図である。
【図２７】本発明の第２の実施の形態に係わる光伝送光学部材５１Ａの平面図である。
【図２８】本発明の第２の実施の形態に係わる、基端側から見た光伝送光学部材５１Ａ５１Ａの左側面図である。
【図２９】本発明の第２の実施の形態に係わる、斜め基端側から見た光伝送光学部材５１Ａの斜視図である。
【図３０】本発明の２つの実施の形態の変形例２に係わる、１つの照明窓を有する光学アダプタの模式的断面図である。
【発明を実施するための形態】
【００１３】
以下、図面を参照して本発明の実施の形態を説明する。
（第１の実施の形態）
（内視鏡装置の構成）
図１は、本実施の形態に係る内視鏡装置の構成を示す構成図である。  
図１に示すように、内視鏡装置１は、ビデオプロセッサ等の機能を備えた装置本体２と、装置本体２に接続される内視鏡３とを有して構成されている。装置本体２は、内視鏡画像、操作メニュー等が表示される、例えば液晶パネル（ＬＣＤ）等の表示部４を有する。この表示部４には、タッチパネルが設けられていてもよい。
内視鏡３は、被検体内に挿入される内視鏡挿入部としての挿入部５と、挿入部５の基端に連設された操作部６と、操作部６から延出したユニバーサルコード７とを有して構成されている。内視鏡３は、ユニバーサルコード７を介して装置本体２と着脱可能になっている。
【００１４】
挿入部５は、先端側から順に、先端部１１と、湾曲部１２と、長尺な可撓部１３とを有して構成されている。湾曲部１２は、先端部１１の基端に連設され、例えば上下左右方向に湾曲自在に構成されている。可撓部１３は、湾曲部１２に基端に連設され、可撓性を有する。  
挿入部５の先端部１１には、例えばＣＭＯＳイメージセンサ等の撮像素子１１ｘ（図４）が内蔵されている。撮像素子１１ｘは、挿入部５の先端部１１に設けられた観察窓（図示せず）に入射した入射光を受光する。
【００１５】
先端部１１には、矢印で示すように、側視用の光学アダプタ１０が着脱自在に装着可能となっている。側視用の光学アダプタ１０を先端部１１に装着することによって、内視鏡３は側視用内視鏡となる。
【００１６】
操作部６には、湾曲部１２を上下左右方向に湾曲させる湾曲ジョイスティック６ａが設けられている。ユーザは、湾曲ジョイスティック６ａを傾倒操作することで、湾曲部１２を所望の方向に湾曲させることができる。また、操作部６には、湾曲ジョイスティック６ａの他に、内視鏡機能を指示するボタン類、例えば、フリーズボタン、湾曲ロックボタン、記録指示ボタン等の各種操作ボタンが設けられている。
【００１７】
なお、表示部４にタッチパネルが設けられている構成の場合、ユーザは、タッチパネルを操作して、内視鏡装置１の種々の操作を指示してもよい。
装置本体２の表示部４には、先端部１１内に設けられた撮像ユニットの撮像素子１１ｘ（図４）によって撮像された内視鏡画像が表示される。また、装置本体２の内部には、画像処理や各種制御を行う制御部（図示せず）、処理画像をメモリ（図示せず）に記録する記録装置、等々の各種回路が設けられている。
【００１８】
（光学アダプタの構成）
図２は、光学アダプタ１０の斜視図である。図３は、被検体の方から見た光学アダプタ１０の平面図である。図４は、図３のＩＶ−ＩＶ線に沿った光学アダプタ１０の断面図である。図５は、図４のＶ−Ｖ線に沿った光学アダプタ１０の断面図である。図６は、図３のＶＩ−ＶＩ線に沿った光学アダプタ１０の断面図である。図７は、光学アダプタ１０内の撮像光学系及び照明光学系の斜視図である。図８は、光学アダプタ１０内の撮像光学系及び照明光学系の正面図である。図９は、光学アダプタ１０内の撮像光学系及び照明光学系の右側面図である。
【００１９】
挿入部５の先端部１１は、図４の二点鎖線で示すように、円筒形状を有する先端硬性部材１１ａを有し、先端硬性部材１１ａの外周面の一部の領域Ｒ１には、雄螺子部１１ｂが形成されている。
【００２０】
側視用の光学アダプタ１０は、円柱形状を有しており、円筒形状の止めリング１０ａを基端側に有している。止めリング１０ａは、挿入部５の中心軸（ここでは、先端部１１の中心軸）Ｏ（以下、軸Ｏという）回りに回動可能であり、止めリング１０ａの基端部の内周面には、雄螺子部１１ｂに螺合可能な雌螺子部１０ｂが形成されている。軸Ｏは、光学アダプタ１０を先端部１１に装着したときに、円柱形状の光学アダプタ１０の中心軸と一致する。
【００２１】
止めリング１０ａの内側に先端硬性部材１１ａを内挿し、止めリング１０ａを所定の方向に回動して雄螺子部１１ｂと雌螺子部１０ｂを螺合することにより、光学アダプタ１０を先端部１１に装着して固定することができる。止めリング１０ａを所定の方向に回動すると、止めリング１０ａの先端部に設けられた内向フランジ部１０ｃが光学アダプタ１０のアダプタ本体２１の段差部２１ａを押圧する。その結果、光学アダプタ１０は先端部１１にしっかりと固定される。
【００２２】
また、止めリング１０ａを所定の方向とは反対方向に回動することにより、光学アダプタ１０は先端部１１から取り外すことができる。  
図２及び図３に示すように、光学アダプタ１０の先端側の側面には、側視用の観察窓２２と、観察窓２２を挟むように設けられた２つの照明窓２３ａ、２３ｂが配設されている。
【００２３】
図３に示すように、観察窓２２は、正対視したとき、軸Ｏ方向に沿って両側がカットされて、２つの直線部２２ａを有する部分円形状を有する。観察窓２２の２つの直線部２２ａに隣接して２つの照明窓２３ａ、２３ｂが配置されている。観察窓２２は、挿入部５の先端部１１の側方から光を取り込む。  
各照明窓２３ａ、２３ｂは、正対視したとき、軸Ｏに平行に沿って延出した細長い形状で、図３に示すように、長方形の四隅に面取りを行った略四角形である。
【００２４】
図４に示すように、光学アダプタ１０のアダプタ本体３１の先端面を覆うように、カバー部材３２がアダプタ本体３１に固定されている。カバー部材３２は、先端側が閉じた円筒形状を有している。円柱形状のアダプタ本体３１は、円筒部材３３の内側に嵌合するように配置される。円筒部材３３は、図示しない螺子等の固定手段によりアダプタ本体３１に固定される。円筒部材３３は、円筒形状のカバー部材３２の内側に嵌合するように配置される。カバー部材３２は、図示しない螺子等の固定手段により円筒部材３３に固定される。
【００２５】
カバー部材３２及び円筒部材３３は、それぞれ、軸Ｏから外径方向に所定の距離だけ離れた位置を通るように、軸Ｏ方向に沿って切り取られて形成された開口部３２ａ、３３ａを有している。観察窓２２及び２つの照明窓２３ａ、２３ｂは、カバー部材３２及び円筒部材３３に形成された２つの開口部３２ａ、３３ａに配置される。
【００２６】
観察窓２２には、平凹レンズ４１が位置決め部４２により位置決めされて接着剤によりアダプタ本体３１、カバー部材３２及び円筒部材３３に固定されている。平凹レンズ４１の表面は平坦面であり、裏面は凹面である。なお、位置決め部４２は、アダプタ本体３１の一部により形成されている。
【００２７】
平凹レンズ４１の背面には、２つのプリズム４３ａ、４３ｂからなるプリズム部４３が配設されている。  
アダプタ本体３１には、軸Ｏに平行なシリンドリカルな形状を有する孔３１ａが形成されている。プリズム部４３の基端側には、孔３１ａの中心軸Ｏ１に沿って並んだ２つのレンズ４４ａ、４４ｂからなるレンズ部４４が配設され、接着剤によりアダプタ本体３１の孔３１ａ内に固定されている。カバーガラス４５が、レンズ部４４の基端側に配設され、接着剤によりアダプタ本体３１の孔３１ａ内に固定されている。
【００２８】
２つのプリズム４３ａと４３ｂの接合面が平凹レンズ４１からの光をレンズ部４４に向けて反射する反射面を構成する。この反射面は、金属膜や多層膜によって構成することが出来る。よって、プリズム部４３は、平凹レンズ４１からの光の進行方向を９０度を変えてレンズ部４４に向けて出射するように、接着剤によりアダプタ本体３１に固定されている。平凹レンズ４１、プリズム部４３、レンズ部４４、カバーガラス４５，及び図示しない先端部１１内のレンズ群が、内視鏡３の観察光学系を構成する。プリズム部４３及びレンズ部４４の光軸は、軸Ｏとは一致していない。
以上のように、アダプタ１０の平凹レンズ４１、プリズム部４３、レンズ部４４及びカバーガラス４５が、観察窓２２から取り込まれた光を先端部１１の長手軸に沿って先端側から基端側へ向けて出射する観察光学系を構成する。なお、プリズム部４３の基端部側に明るさ絞り１００１が配置される。
【００２９】
図６から図９に示すように、照明窓２３ａには、軸Ｏに直交する方向に積み重ねられた２枚の光学部材２３ａ１と２３ａ２が位置決め部４２により位置決めされて接着剤によりアダプタ本体３１、カバー部材３２及び円筒部材３３に固定されている。
【００３０】
照明窓２３ｂにも、照明窓２３ａと同様に、軸Ｏに直交する方向に積み重ねられた２枚の光学部材２３ｂ１と２３ｂ２が位置決め部４２により位置決めされて接着剤によりアダプタ本体３１、カバー部材３２及び円筒部材３３に固定されている。照明窓２３ａ、２３ｂは、先端部１１の側方へ照明光を出射する。
【００３１】
光学部材２３ａ１、２３ｂ１は、細長で板状のカバーガラスであり、下の面にはすりガラス状に加工がされて拡散面が形成される。光学部材２３ａ２、２３ｂ２の各々は、軸Ｏに近い一方の面にマイクロレンズアレイ、またはマイクロプリズムアレイが形成された、細長で板状のガラス部材である。光学部材２３ａ１、２３ｂ１の拡散面で、光学部材２３ａ１、２３ｂ１とは屈折率の異なる接着剤で光学部材２３ａ２、２３ｂ２と接着されており、この拡散面で光が散乱される。これにより、マイクロレンズアレイ、または、マイクロプリズムアレイで生じた照明の配光斑を除去することができる。
【００３２】
カバー部材３２及び円筒部材３３の開口部３２ａ、３３ａ、平凹レンズ４１及び２つの光学部材２３ａ１、２３ｂ１の各表面は、平坦面であるので、光学アダプタ１０は、これらの平面により形成された、軸Ｏに平行な平面部１０ｐを有している。
【００３３】
照明光は、照明窓２３ａ及び２３ｂから、軸Ｏに直交する方向ＬＤ（以下、照明方向ＬＤという）に出射される。  
アダプタ本体３１には、軸Ｏ方向に沿って、ロッドレンズ４６用の孔３１ｂが形成されている。孔３１ｂの中心は、軸Ｏと一致しないで、孔３１ｂは、軸Ｏから外径方向にずれてアダプタ本体３１に形成されている。ロッドレンズ４６は、その孔３１ｂ内に挿通され、接着剤等によりアダプタ本体３１に固定されている。よって、孔３１ｂの断面形状は、ロッドレンズ４６の外径形状と略一致する。図５に示すように、ロッドレンズ４６の、軸Ｏに直交する断面形状は、扁平であり、軸Ｏ側の面４６ａは、平面であり、外径方向側の面４６ｂは、外径方向に突出した部分円筒形状である。
【００３４】
図４に示すように、挿入部５内には、照明光用のライトガイド１１ｙが挿通されている。そのライトガイド１１ｙの先端面は、先端部１１の照明窓（図示せず）の裏面に対向して配設されている。光学アダプタ１０が先端部１１に装着されたときに、先端部１１の照明窓（図示せず）がロッドレンズ４６の基端面に対向する位置になるように、ロッドレンズ４６は、光学アダプタ１０に配設されている。
【００３５】
ロッドレンズ４６の先端面の先端側には、光伝送光学部材５１が配設され、接着剤などによりアダプタ本体３１に固定されている。  
照明窓２３ａ、２３ｂ、光伝送光学部材５１及びロッドレンズ４６は、被検体に挿入される挿入部５を有する内視鏡３のための内視鏡用照明光学系を構成する。
図７に示すように、被検体からの光Ｌ１は、光学アダプタ１０の側方から観察窓２２に入射する。光Ｌ１は、平凹レンズ４１に入射し、プリズム部４３で反射されて、レンズ部４４及びカバーガラス４５を通って先端部１１の撮像光学系へ向けて出射する。
【００３６】
先端部１１のライトガイド１１ｙの先端面から出射された光Ｌ２は、ロッドレンズ４６の基端面に入射し、ロッドレンズ４６の先端面から光伝送光学部材５１の基端面である入射面に入射し、光伝送光学部材５１の出射面から出射して、２つの照明窓２３ａ、２３ｂから、光学アダプタ１０の側方へ出射される。
（光伝送光学部材５１の構成）
次に、照明光学系の光伝送光学部材５１の構成について説明する。
【００３７】
図１０は、光伝送光学部材５１の斜視図である。図１１は、光伝送光学部材５１の正面図である。図１２は、光伝送光学部材５１の平面図である。図１３は、光伝送光学部材５１の底面図である。図１４は、光伝送光学部材５１の右側面図である。図１５は、光伝送光学部材５１の左側面図である。
【００３８】
光伝送光学部材５１は、図１４及び図１５に示すように、光学アダプタ１０の軸Ｏ方向からみたときに、略Ｕ字形状を有する、透明なガラスからなる光学部材である。  
光伝送光学部材５１は、部分円筒部５１Ｘと、部分円筒部５１Ｘの周方向の両端部から延出する２つの延出部５１Ａ、５１Ｂを有している。上述したプリズム部４３は、部分円筒部５１Ｘと２つの延出部５１Ａ、５１Ｂにより囲まれるように、略Ｕ字形状の光伝送光学部材５１内に配置される。
すなわち、光伝送光学部材５１は、内側に観察光学系が配置されるように長手軸の先端側から見た断面形状が略Ｕ字形状又は略Ｕ字形状の一部の形状に形成されている。
【００３９】
延出部５１Ａの端面には、平面部５１ａが形成されており、延出部５１Ｂの端面には、平面部５１ｂが形成されている。以下、光伝送光学部材５１において、延出部５１Ａ，５１Ｂの平面部５１ａ、５１ｂの有る方向を上側方向ともいう。
【００４０】
延出部５１Ａの先端側には、平面部５１ａ１が形成されており、延出部５１Ｂの先端側には、平面部５１ｂ１が形成されている。また、光伝送光学部材５１の基端側の平面部５１ｃは、略Ｕ字形状を有する。平面部５１ｃの一部、すなわちロッドレンズ４６の先端面に対向する領域は、光の入射面である。
【００４１】
図１２及び図１３に示すように、部分円筒部５１Ｘの先端側には、凹部５１Ｕが形成されている。凹部５１Ｕは、照明光を当てる被検体から光伝送光学部材５１をみたときに、略Ｖ字状に形成されている。略Ｖ字状の凹部５１Ｕの中心５１Ｕｃから部分円筒部５１Ｘの先端側に向かって、曲面である２つの反射面ＣＳ１、ＣＳ２が、光伝送光学部材５１の凹部５１Ｕに形成されている。
なお、凹部５１Ｕは、製造上Ｖ字部分の頂線部分が丸みを帯びた略Ｖ字状の形状としているが、頂線を備えるＶ字状であることが望ましい。また、略Ｕ字形状を有する光学部材の素材は、プラスチックであっても良い。
【００４２】
２つの反射面ＣＳ１、ＣＳ２は、部分円筒部５１Ｘの外周面の円弧の中央を通る線ＣＬと軸Ｏを通る平面ＣＰに対して、面対称な形状を有する。言い換えれば、反射面は、先端部１１の中心軸を通る平面ＣＰに対して面対称に２つ設けられている。  
２つの反射面ＣＳ１、ＣＳ２には、アルミコートなどの反射加工がされた曲面である。
【００４３】
ここで、反射面ＣＳ２の形状について説明する。なお、反射面ＣＳ１は、上述したように反射面ＣＳ２に対して、面対称な形状を有するので、説明は省略する。  
図１６及び図１７は、部分円筒部５１Ｘ上に形成される反射面ＣＳ２の形状を説明するための図である。部分円筒部５１Ｘは、二点鎖線で示す部分円筒部５１Ｙの一部を切り取った形状を有している。部分円筒部５１Ｘを上述した平面ＣＰでカットすると、２つの部分円筒部に分けられ、その一方が、実線で示す部分円筒部５１Ｘ１である。
【００４４】
元々、部分円筒部５１Ｘは、二点鎖線で示す部分円筒部５１Ｙの一部を切り出して形成される。図１６及び図１７において、部分円筒部５１Ｙを上述した平面ＣＰでカットして２等分して形成された２つの部分円筒部５１Ｙ１、５１Ｙ２の一方である５１Ｙ１の一部が、実線で示す部分円筒部５１Ｘ１である。反射面ＣＳ２は、部分円筒部５１Ｘ１の斜線で示す領域である。
【００４５】
ここで、反射面ＣＳ２の形成方法を説明する。図１８と図１９は、反射面ＣＳ２の形成方法を説明するための模式図である。  
外径がｒで長手軸方向の長さが２πｒの円筒部材ＳＯを仮定する。反射面ＣＳ２は、図１８に示すように、円筒部材ＳＯを、一端の点ＰＳから他端の点ＰＥまで、外周面を中心軸ＣＯに直交する方向に、円筒部材ＳＯの中心軸ＣＯ方向に対して所定の角度（ここでは４５度）で螺旋状に切り取ったときに形成される切り取り面の一部分である。点ＰＳと点ＰＥは、円筒部材ＳＯを軸方向からみたときに、周方向において同じ位置になる。
【００４６】
円筒部材ＳＯを中心軸ＣＯ方向からみたときに点ＰＳから点ＰＥまで斜め周方向に一回転しながら外径方向に向かう線により切り取られて形成された切り取り面は、長手軸方向に２πｒだけ進む。反射面ＣＳ２は、点ＰＳから点ＰＥまで中心軸ＣＯから外径方向に向かう線に沿って、円筒部材ＳＯを螺旋状にカットして形成された面の一部である。
【００４７】
図１８において、例えば、中心軸ＣＯ上の点Ｐ１から点Ｐ１１までの点線で示す線分、点Ｐ２から点Ｐ１２までの点線で示す線分、・・・、点Ｐ７から点Ｐ１７までの点線で示す線分は、反射面ＣＳ２を構成する。すなわち、反射面ＣＳ２は、光伝送光学部材５１の先端側に形成された捻れ面である。
【００４８】
各点Ｐ１１〜Ｐ１７の点ＰＳを含む平面からの距離をｚとすると、反射面ＣＳ２は、ｚ＝ｒ×θで表される線分の集合体である。ｒは、円筒部材ＳＯの外径の半径であり、θは、円筒部材ＳＯを軸方向からみたときの中心軸ＣＯ回りの点ＰＳからの角度（ラジアン）である。
よって、反射面ＣＳ２は、入射面である円筒部材ＳＯの端面からの中心軸に沿った距離ｚが、ｚ＝ｒ×θ（ここで、ｒは、円弧の半径で、θは、中心軸回りの所定位置からの角度である）で表される曲面形状を有する。
【００４９】
図１９は、円筒部材ＳＯの外周面を展開した図である。円筒部材ＳＯを中心軸ＣＯ回りに螺旋状に切り取るとき、円筒部材ＳＯの外周面を４５度の傾きで切り取るということは、図１９に示すように円筒部材ＳＯの外周面を展開したときに、円筒部材ＳＯの外周面は、直角二等辺三角形となり、２つの４５度の１点と９０度の頂角が点ＰＳとなり、４５度の他の一点が点ＰＥとなる。
すなわち、捻れ面である反射面ＣＳ２は、略Ｕ字形状の外周面の円弧の中心軸に対して円筒部材ＳＯの外周面上を所定の角度（４５度）で、その中心軸に直交する方向にカットされた面である。なお、この捻れ面は、数学的な表現では「螺旋面」とも呼ばれる。
【００５０】
なお、ここでは、円筒部材ＳＯの外周面を軸Ｏ方向に対して所定の角度としての４５度の角度で螺旋状に切り取ったときに形成された面の一部を反射面ＣＳ２としているが、所定の各度は、４５度でなくてもよく、例えば３５度から５５度の範囲内の角度でもよい。
【００５１】
さらになお、上述した例では、反射面ＣＳ２は、円筒部材ＳＯを中心軸ＣＯから外径方向に伸びる線分によってカットして形成しているが、反射面ＣＳ２は、外径方向に対して中心軸ＣＯ方向に対して所定の角度αだけ傾いた線分によってカットして形成するようにしてもよい。図２０は、円筒部材ＳＯの側面図である。
【００５２】
図１８及び図２０において、外径方向の線分ＰＮは中心軸ＣＯに対して直角であるが、二点鎖線で示す線分ＰＮａは、外径方向の線分ＰＮに対して角度αだけ傾いている。角度αは、中心軸ＣＯに直交する面に対するあおり角である。ｔａｎαの絶対値は、０以上で、例えば０．２以下である。すなわち、線分ＰＮａは、中心軸ＣＯに対して直交していない。反射面ＣＳ２は、そのような線分ＰＮａによって、円筒部材ＳＯを螺旋状にカットして形成するようにしてもよい。
（作用）
次に、上述した光学アダプタ１０の照明光学系における光の伝達について説明する。  
図２１から図２４は、光伝送光学部材５１の部分円筒部５１Ｘ１における光路を示す図である。ここでは、光伝送光学部材５１の部分円筒部５１Ｘ１における光路を説明する。
【００５３】
図２１は、部分円筒部５１Ｘ１の斜視図である。図２２は、部分円筒部５１Ｘ１の左側面図である。図２３は、部分円筒部５１Ｘ１の正面図である。図２４は、部分円筒部５１Ｘ１の平面図である。
【００５４】
入射面である平面部５１ｃにおいて軸Ｏに近い点ＩＰ１に入射した光ＩＬ１は、反射面ＣＳ２で反射される。反射面ＣＳ２が上述したように傾斜しているため、光ＩＬ１は、反射面ＣＳ２において、平面ＣＰに直交する方向に反射させるのではなく、部分円筒部５１Ｘ１を長手軸方向からみたときに、図２２に示すように、出射面である平面部５１ｂ側に曲がった方向に反射される。
すなわち、光伝送光学部材５１は、長手軸に沿って基端側から先端側に向かう光が入射する入射面である平面部５１ｃと、被検体へ向けて光を照明光として出射する出射面である平面部５１ｂ１と、２つの反射面ＣＳ１，ＣＳ２を有する。各反射面ＣＳ１，ＣＳ２は、長手軸の先端側から見たときに入射面に入射した光を出射面側に向けるように傾いている。
より具体的に図２１、図２２を用いて説明する。ここではロッドレンズ４６を射出した光が進む方向をｚ軸の正方向とし、光伝送光学部材５１の光が射出する平面５１ｂの法線方向をｙ軸の正方向とする右手直交座標系を用いる。
ｚ軸に平行に入射した光が、反射面ＣＳ２と交わる点における法線ベクトルに着目する。
反射面ＣＳ２上の法線ベクトルをｘ軸、ｙ軸、ｚ軸方向の成分にそれぞれ分解した方向余弦として表現すると、
（ｘ，ｙ，ｚ）＝（cosα，cosβ，cosγ）（ただし、cos２α＋cos２β＋cos２γ＝１）
となる。反射面ＣＳ２が、入射面に入射した光を出射面側に向けるように傾いていることを法線ベクトルの成分を用いて表すとcosγが正である法線、すなわち光伝送光学部材５１（反射面ＣＳ２）の外側の面での法線を考えたとき、cosβが負である必要がある。また、cosγが負である法線、すなわち光伝送光学部材５１（反射面ＣＳ２）の内側の面での法線を考えたとき、cosβが正となる必要がある。よって、ｚ軸に平行に入射した光が、出射面側に向くには、反射面ＣＳ２と交わる点における法線ベクトルのy軸成分（cosβ）とz軸成分（cosγ）の符号が異なる必要がある。したがって、反射面ＣＳ１，ＣＳ２は、cosβ・cosγ＜０を満たす面であると言い換えることもできる。また、反射面ＣＳ１，ＣＳ２上の法線のｘ軸方向の成分cosαは、成分を持つこと、すなわちcosα≠０であることが望ましい。
【００５５】
図２２において、線ＰＣＰは、平面ＣＰに直交する。図２２では、光ＩＬ１は、線ＰＣＰに対して角度θ１だけ、平面部５１ｂ側に曲がった方向に反射される。その結果、反射面ＣＳ２において反射された光ＩＬ１が部分円筒部５１Ｘ１内で次に反射されるときの入射角は、臨界角以上となる。
【００５６】
特開２０１２−２３５８２１号公報に開示の反射面は、平面部５１ｃからの光を平面ＣＰに直交する方向（すなわち線ＰＣＰの方向）に反射するため、反射面において反射された光が光伝送光学部材内で次に反射されるときの入射角は、臨界角未満となる。結果として、その光は、光伝送光学部材の外に漏れてしまう。
【００５７】
しかし、上述したように、本実施の形態の光ＩＬ１は、反射面ＣＳ２において、平面ＣＰに直交する方向ではなく、出射面である平面部５１ｂ側に曲がった方向に反射されるので、光伝送光学部材の外に漏れる光量が減少する。
【００５８】
入射面である平面部５１ｃにおいて軸Ｏに近い点ＩＰ１から離れた点ＩＰ２，ＩＰ３に入射した光ＩＬ２，ＩＬ３も、反射面ＣＳ２で反射される。光ＩＬ２，ＩＬ３も、線ＰＣＰに対して、平面部５１ｂ側に曲がった方向に反射される。その結果、反射面ＣＳ２において反射された光ＩＬ２，ＩＬ３が部分円筒部５１Ｘ１内で次に反射されるときの入射角は、臨界角以上となる。
【００５９】
また、照明光量を増やすために、ライトガイド１１ｙの先端面のサイズを大きくして、図５に示すように、扁平な形状にしても、図２１に示すように、軸Ｏに近くかつ入射面である平面部５１ｃの外周面側の点ＩＰ４に入射した光ＩＬ４も、反射面ＣＳ２で線ＰＣＰに対して、平面部５１ｂ側に曲がった方向に反射される。
【００６０】
図５に示すようなライトガイド１１ｙの先端面のサイズを大きくしても、光のほとんどは、部分円筒部５１Ｘ１の外に漏れずに、部分円筒部５１Ｘ１内で全反射するので、光量が減少しない。  
なお、反射面ＣＳ１においても、入射面に入射した光は、反射面ＣＳ２と同様に反射される。
【００６１】
以上のように、凹部５１Ｕに上述した２つの反射面ＣＳ１，ＣＳ２を設けることにより、２つの反射面ＣＳ１，ＣＳ２で反射した光は、光伝送光学部材５１の外周面に入射するときの入射角が臨界角以上のすることができるので、ライトガイドからの光のほとんど全てが全反射して、２つの照明窓に向かって反射して進むので、光の伝送効率を高めることができる。
【００６２】
以上のように、上述した実施の形態によれば、全反射されないで外部に漏れてしまう照明光の漏れ量を少なくし、照明光の伝送効率を向上させた照明光学系、内視鏡光学系及び内視鏡を提供することができる。
【００６３】
上述した光伝送光学部材５１の反射面ＣＳ１，ＣＳ２は、曲面であるが、曲面を複数の多面体にしてもよい。その場合、多面体は、反射面ＣＳ１，ＣＳ２の曲面に沿って形成されるので、ライトガイドからの光のほとんど全てが光伝送光学部材５１内で全反射して、２つの出射面から出射して、照明窓に向かう。
【００６４】
なお、上述した部分円筒部５１Ｘは、内周面の円弧の中心位置と外周面の円弧の中心位置が異なっているため、図１４に示すように部分円筒部５１Ｘの中央部が膨らんでいる。すなわち、部分円筒部５１Ｘの略Ｕ字形状は、円弧の中心位置が異なる２つの円の２つの円弧により形成される。
なお、部分円筒部５１Ｘの略Ｕ字形状は、内周面の円弧の中心位置と外周面の円弧の中心位置が一致している形状でもよい。
（第２の実施の形態）
第１の実施の形態では、光学アダプタに設けられる光伝送光学部の反射面は曲面であるが、第２の実施の形態では、光学アダプタに設けられる光伝送光学部の反射面は平面である。
【００６５】
第２の実施の形態の内視鏡及び光学アダプタの構成は、第１の実施の形態の内視鏡及び光学アダプタと略同じであるので、以下、第２の実施の形態において、第１の実施の形態と同じ構成要素については説明を省略し、異なる構成についてのみ説明する。
【００６６】
本実施の形態における光学アダプタの構成は、第１の実施の形態の光学アダプタ１０と略同じであり、光学アダプタ内の光伝送光学部材５１Ａの形状も、図１０〜図１７に示す光伝送光学部材５１と略同じであるが、凹部に形成される２つの反射面ＣＳ１Ａ，ＣＳ２Ａの形状が第１の実施の形態の２つの反射面ＣＳ１，ＣＳ２とは異なっている。よって、以下、本実施の形態の光学アダプタの２つの反射面ＣＳ１Ａ，ＣＳ２Ａの形状について説明する。  
ここでも、２つの反射面ＣＳ１Ａ、ＣＳ２Ａは、上述した平面ＣＰに対して、面対称な形状を有するので、主に反射面ＣＳ２の形状について説明し、反射面ＣＳ１の説明は省略する。
【００６７】
図２５は、斜め先端側からみた光伝送光学部材５１Ａの斜視図である。図２６から図２９は、２つの反射面ＣＳ１Ａ，ＣＳ２の形状を説明するための図である。
【００６８】
反射面ＣＳ１Ａ，ＣＳ２Ａは、次のようにして形成された面である。  
図２６は、略Ｕ字形状の光伝送光学部材５１Ａの正面図である。図２７は、光伝送光学部材５１Ａの平面図である。図２８は、基端側から見た光伝送光学部材５１Ａ５１Ａの左側面図である。図２９は、斜め基端側から見た光伝送光学部材５１Ａの斜視図である。
【００６９】
本実施の形態の略Ｕ字形状の光伝送光学部材５１Ａの断面は、内周面の円弧と外周面の円弧の中心位置が一致しており、内周面の円弧と外周面の円弧は同心円の一部である。すなわち、本実施の形態では、光伝送光学部材５１Ａの略Ｕ字形状は、２つの同心円の円弧により形成される。
９０度だけ開いた２つの平面ＰＬ１，ＰＬ２を仮定する。２つの平面ＰＬ１，ＰＬ２の中心線ＣＬが、光伝送光学部材５１Ａの外周面の中央を通る平面ＣＰ内で、上側部分が先端方向に角度θ２だけ傾いたときに、２つの平面ＰＬ１，ＰＬ２によりカットされて光伝送光学部材５１Ａに形成された２つの面が反射面ＣＳ１Ａ，ＣＳ２Ａである。
【００７０】
すなわち、中心線ＣＬは、２つの平面ＰＬ１，ＰＬ２の交差する部分が稜線である。中心線ＣＬが、平面ＣＰ内で図２６において下側に向けて所定の角度θ２（ここでは、１５度）だけ傾斜している。そのような２つの平面ＰＬ１，ＰＬ２によりカットされて光伝送光学部材５１Ａに形成された２つの面が反射面ＣＳ１Ａ，ＣＳ２Ａである。言い換えれば、２つの平面ＰＬ１，ＰＬ２の交差する部分が稜線の照明方向ＬＤ側の部分が、先端側に傾いている。
【００７１】
２つの反射面ＣＳ１Ａ，ＣＳ２Ａは、このような２つの平面ＰＬ１とＰＬ２によって、切り取られて形成される。すなわち、反射面ＣＳ１Ａ，ＣＳ２Ａの各々は、略Ｕ字形状の光伝送光学部材５１Ａの先端側に形成された平面である。そして、２つの反射面ＣＳ１Ａ，ＣＳ２Ａは、先端部１１の中心軸を通る平面ＣＰに対して面対称である。
このようにして形成された反射面ＣＳ２Ａによっても、第１の実施の形態と同様に、入射面である平面部５１ｃにおいて軸Ｏに近い点ＩＰ１に入射した光ＩＬ１は、反射面ＣＳ２Ａで反射される。反射面ＣＳ２Ａが上述したように傾斜しているため、光ＩＬ１は、反射面ＣＳ２Ａにおいて、平面ＣＰに直交する方向に反射させるのではなく、光伝送光学部材５１Ａを長手軸方向からみたときに、図２５，図２６に示すように、出射面である平面部５１ｂ側に曲がった方向に反射される。
ここで、反射面ＣＳ１Ａ，ＣＳ２Ａは、第１の実施の形態と同様にｚ軸に平行に入射した光が、出射面側に向く面であり、反射面ＣＳ１Ａ，ＣＳ２Ａは、cosβ・cosγ＜０を満たす面であると言い換えることもできる。
【００７２】
入射面である平面部５１ｃにおいて軸Ｏに近い点ＩＰ１から離れた点ＩＰ２，ＩＰ３に入射した光ＩＬ２，ＩＬ３も、第１の実施の形態と同様に、反射面ＣＳ２Ａで反射される。光ＩＬ２，ＩＬ３も、平面ＣＰに直交する方向に対して、平面部５１ｂ側に曲がった方向に反射される。
【００７３】
よって、上述した実施の形態によっても、全反射されないで外部に漏れてしまう照明光の漏れ量を少なくし、照明光の伝送効率を向上させた照明光学系、内視鏡光学系及び内視鏡を提供することができる。
【００７４】
次に変形例について説明する。
（変形例１）
上述した２つの実施の形態において、光伝送光学部材５１，５１Ａは、１つの部材であるが、平面ＣＰに沿って２つに分割してもよい。すなわち、反射面ＣＳ１，ＣＳ１Ａを有する１つの光学部材と、反射面ＣＳ２，ＣＳ２Ａを有する１つの光学部材とにより、光伝送光学部材５１，５１Ａを構成してもよい。
【００７５】
２つの光学部材の各々への照明光を出射するライトガイドを２つにすれば、２つの照明を当てる場合と、１つの照明だけを当てる場合を切り替えられるようにすることができる。
（変形例２）
上述した２つの実施の形態では、２つの照明窓が観察窓を挟むように配設されているが、照明窓は１つでもよい場合があるので、そのような１つの照明窓の場合にも、上述した２つの実施の形態の反射面を適用することができる。
【００７６】
図３０は、１つの照明窓を有する光学アダプタの模式的断面図である。図３０は、光学アダプタ１０Ａを先端側から見た断面図である。  
アダプタ本体３１Ａ内に、略Ｕ字状の光伝送光学部材５１Ａが配設され、固定される。略Ｕ字状の光伝送光学部材５１Ａの一端寄りの基端面にロッドレンズ４６の先端面が配置される。略Ｕ字状の光伝送光学部材５１Ａの他端の端面には、照明窓２３ｃを構成する光学部材２３ｃ１、２３ｃ２が設けられる。光学部材２３ｃ１は、上述した光学部材２３ａ１と同様に両面が平面であり、光学部材２３ｃ２は、上述した光学部材２３ａ２と同様に、光伝送光学部材５１Ａ側の面にマイクロレンズアレイが形成され、他方の面にはすりガラス状に加工がされて拡散面が形成された、細長で板状のガラス部材である。両面が平面であり、２３ａ２と同じである。
【００７７】
光伝送光学部材５１Ａの先端側には、第１及び第２の実施の形態において説明した反射面ＣＳ２、ＣＳ２Ａと同様な曲面あるいは平面である反射面ＣＳＸ（点線のハッチングで示す）が設けられている。
【００７８】
図３０に示す光伝送光学部材５１Ａにおいても、反射面ＣＳＸは、上述した反射面ＣＳ２，ＣＳ２Ａと同様に、ロッドレンズ４６からの光を、光伝送光学部材５１Ａ内で全反射させるように反射する。
【００７９】
１つの照明窓からの照明光を利用すると、被検体の表面の凹凸を目立たせて観察することができる。
（変形例３）
上述した各実施の形態及び他の変形例では、光伝送光学部材の反射面は、部分円筒部材を、軸回りに螺旋状に切り取った傾斜面あるいは平面で切り取った平面であるが、反射面は、光伝送光学部材を先端側から見たときに、ライトガイドの先端面の形状に合致した領域のみを反射面とするようにしてもよい。
ライトガイドの先端面の形状が図９に示すような部分円の形状であれば、光伝送光学部材を先端側から見たときに、その部分円の形状に合わせた領域のみを反射面としたり、ライトガイドの先端面の形状が、例えば図１５において二点鎖線で示すような矩形形状であれば、光伝送光学部材を長手軸方向の先端側から見たときに、その矩形形状に合わせた領域ＲＲのみを反射面とするように、矩形形状の領域ＲＲのみに反射加工を施すようにしてもよい。すなわち、各反射面の形状は、前記長手軸方向からみたときに矩形であってもよい。
（変形例４）
上述した各実施の形態及び他の変形例では、光伝送光学部材を含む側方照明光学系は、光学アダプタ１０内に設けられ、光学アダプタ１０を先端部１１に装着することによって、内視鏡３は側視用内視鏡になるが、例えば上述した光伝送光学部材を有する側方照明光学系を先端部１１内に設け、内視鏡３自体を側視用内視鏡としてもよい。
（変形例５）
さらに、なお、上述した各実施の形態及び他の変形例では、光学アダプタ１０が装着された内視鏡３は、軸Ｏに直交する側方を観察するが、上述した実施の形態は、照明光学系の出射方向を軸Ｏに直交する方向に対して所定の角度だけ傾いた方向を観察する斜視の光学アダプタあるいは内視鏡に適用してもよい。その場合、観察窓は、挿入部の先端部の斜め方向から光を取り込み、照明窓は、先端部の斜め方向へ照明光を出射するように配置される。
【００８０】
以上のように、上述した各実施の形態及び各変形例によれば、全反射されないで外部に漏れてしまう照明光の漏れ量を少なくし、照明光の伝送効率を向上させた照明光学系、内視鏡光学系及び内視鏡を提供することができる。
【００８１】
特に、光伝送光学部材は、入射光のほとんどを光伝送光学部材内で全反射させるので、  ライトガイドの断面形状を扁平にして光量を多くしたときにも、照明光量の伝送効率が高いので、多くの照明光を被検体に当てることができる。
なお、上述した各実施の形態及び各変形例では、照明光学系は、内視鏡に適用される例で説明したが、被写体の色を測定する色センサ用照明装置など、他の機器の照明光学系にも適用することもできる。
【００８２】
本発明は、上述した実施の形態に限定されるものではなく、本発明の要旨を変えない範囲において、種々の変更、改変等が可能である。
【符号の説明】
【００８３】
１  内視鏡装置、２  装置本体、３  内視鏡、４  表示部、５  挿入部、６  操作部、６ａ  湾曲ジョイスティック、７  ユニバーサルコード、１０、１０Ａ  光学アダプタ、１０ａ  止めリング、１０ｂ  雌螺子部、１０ｃ  内向フランジ部、１０ｐ  平面部、１１  先端部、１１ａ  先端硬性部材、１１ｂ  雄螺子部、１１ｘ  撮像素子、１１ｙ  ライトガイド、１２  湾曲部、１３  可撓部、２１  アダプタ本体、２１ａ  段差部、２２  観察窓、２２ａ  直線部、２３ａ、２３ｂ  照明窓、２３ａ１、２３ａ２  光学部材、２３ｂ  照明窓、２３ｂ１、２３ｂ２  光学部材、２３ｃ  照明窓、２３ｃ１、２３ｃ２  光学部材、３１、３１Ａ  アダプタ本体、３１ａ、３１ｂ  孔、３２  カバー部材、３２ａ  開口部、３３  円筒部材、４１  平凹レンズ、４２  位置決め部、４３  プリズム部、４３ａ、４３ｂ  プリズム、４４  レンズ部、４４ａ、４４ｂ  レンズ、４５  カバーガラス、４６  ロッドレンズ、４６ａ、４６ｂ  面、５１，５１Ａ、５１ＸＡ  光伝送光学部材、５１Ａ，５１Ｂ  延出部、５１Ｕ  凹部、５１Ｕｃ  中心、５１Ｘ、５１Ｘ１、５１Ｙ、５１Ｙ１  部分円筒部、５１ａ、５１ａ１、５１ｂ、５１ｂ１、５１ｃ  平面部。
【図１】
2019069043.tif 000003
【図２】
2019069043.tif 000004
【図３】
2019069043.tif 000005
【図４】
2019069043.tif 000006
【図５】
2019069043.tif 000007
【図６】
2019069043.tif 000008
【図７】
2019069043.tif 000009
【図８】
2019069043.tif 000010
【図９】
2019069043.tif 000011
【図１０】
2019069043.tif 000012
【図１１】
2019069043.tif 000013
【図１２】
2019069043.tif 000014
【図１３】
2019069043.tif 000015
【図１４】
2019069043.tif 000016
【図１５】
2019069043.tif 000017
【図１６】
2019069043.tif 000018
【図１７】
2019069043.tif 000019
【図１８】
2019069043.tif 000020
【図１９】
2019069043.tif 000021
【図２０】
2019069043.tif 000022
【図２１】
2019069043.tif 000023
【図２２】
2019069043.tif 000024
【図２３】
2019069043.tif 000025
【図２４】
2019069043.tif 000026
【図２５】
2019069043.tif 000027
【図２６】
2019069043.tif 000028
【図２７】
2019069043.tif 000029
【図２８】
2019069043.tif 000030
【図２９】
2019069043.tif 000031
【図３０】
2019069043.tif 000032